(57)【要約】      （修正有）【課題】単線式カーテンレールでパネル形カーテンを開閉させて、境目からの光の漏れや布地の擦れを防ぐ。【解決手段】布地部は１ａｂ，１ｃｄ，１ｅｆ，１ｇｈであり，各パネル型カーテン布地の上縁には上部縁取り支竿２が、下部には下部縁取り支竿３が布地部に内蔵されて所定の布地幅を保っている。これら４枚の布地部の内、中央の２枚である１ｃｄと１ｅｆの境目は上下の縁取り支竿２，３をレール進行方向から水平面内で左右に折り曲げることでオーバーラップさせている。縁取り支竿２、３を金属製やプラスチック製とすれば容易に実現できる。これにより中央部の境目の隙間を無くすことが出来、外部光の侵入を阻止できる。【選択図】図１
0003108783.tif 000002
【実用新案登録請求の範囲】
【請求項１】
少なくとも上縁に布地を支える縁取り支竿を有した両開き４枚式で、単線レールを使用するパネル型カーテンにおいて、該パネル型カーテンを全閉したとき、中央の２枚の境目で該パネル型カーテンがオーバーラップするように、少なくとも上縁の縁取り支竿の一部を水平で該レール移動方向から曲げたことを特徴とするパネル型カーテン。
【請求項２】
少なくとも上縁に布地を支える縁取り支竿を有した両開き４枚式、あるいは片開き２枚式で、単線レールを使用するパネル型カーテンにおいて、該パネル型カーテンを全閉したとき、４枚式では左右両端の２枚（１ａｂ，１ｇｈ）、また２枚式ではそのどちらか一方が、該単線レールに、ランナーの移動用レール位置から窓側等に適当な距離を保って固定具で上縁が各々の左右両端２個所で固定的に吊るされ、また４枚式では中央の２枚（１ｃｄ，１ｅｆ）が該単線レールにランナーにより各々のパネル型カーテンの両端２個所のランナー（４ｃ，４ｄ，４ｅ，４ｆ）で移動可能に吊るされ、且つ非中央側の各々のランナー（４ｃ，４ｆ）は、左右両端の２枚のパネル型カーテン（１ａｂ，１ｇｈ）の各々の該２個の固定具位置の間（６ａと６ｂの間に４ｃ、６ｇと６ｈの間に４ｆ）に移動可能に吊るされ、また２枚式では固定されない残り一方のパネル型カーテンが、該単線レールに片側のランナーが該２個所の固定具の間に、また他のランナーは該２個の固定取り付け具の外側に移動可能に吊るされ、開閉時、固定側と移動側のパネル型カーテンの擦動を避けるように、全開時は該固定的に吊るされたパネル型カーテンと、ランナーにより移動可能なパネル型カーテンがオーバーラップすることで、４枚式ではその中央部の２枚分が、２枚式では１枚分が開口するようにしたことを特徴とするパネル型カーテン。
【請求項３】
上縁に布地を支える縁取り支竿を有した両開き４枚式、あるいは片開き２枚式で、単線レールを使用するパネル型カーテンにおいて、パネル型カーテン下縁部には該縁取り支竿を使用せず、開口時にパネル型カーテン布地を、両開き４枚式では両側に、片開き２枚式では片側一方に、束ねて固定することを特徴とするパネル型カーテン。
【考案の詳細な説明】
【技術分野】
【０００１】  本考案は、カーテンレールを走行するランナーにカーテン布地の上縁部の前後両端を連結して吊下げられ、設定した所定の幅を保ってカーテンレールの長さ方向に移動し開閉操作され、視界の開閉等を行うパネル型カーテンに関するものである。
【背景技術】
【０００２】    カーテンレールを走行するランナーにカーテン布地の上縁部の前後両端を連結して吊下げられ、設定した所定の幅を保ってカーテンレールの長さ方向に移動し開閉操作され、視界の開閉等を行うパネル型カーテンはパネルスクリーンとも呼ばれて、実開５９−５８１９８等で開示され既に公知である。【０００３】  従来の襞を作って折り束ねられる通常のカーテンは広く屋内の窓等の視界の開閉や光の遮断等に使用されている。しかし、従来のカーテンでは襞を多く用いるので、布地そのものの美しさを見せたい時や外部からの軟らかな光を取り入れたい時には、その襞が邪魔して、それらの効果を発揮できないことが多い。これに対し、パネル型カーテンは従来方式カーテンと比べて斬新なリビングのインテリアとして、優しい採光、部屋、寝室のパーテイション等に適した機能を有している。また従来カーテンのように襞を作らないので、部屋の有功面積を広げる効果や布地の絵や模様そのものを絵画的に襞を作らないで美しく見せる装飾性に優れた効果もあるものである。【０００４】  しかしこのパネル型カーテンには大きく次の二つの問題があった。
１）  既存の家屋で、従来式カーテンレールをそのまま利用して、パネル型カーテンに取り替えようとすると、単線レールでは各パネル型カーテンのランナーがぶつかり合い開閉出来ない。従って開閉するには専用の複線式カーテンレールを必要とした。
２）  各パネル型カーテン同士の境目は、従来カーテンの単線レールを使用する場合は、その上縁に設けられた所定の幅を作る縁取り支竿である棒状フレーム体の干渉により、オーバーラップできないので、わずかな隙間が出来易く、そこから外部の光が射し込む。
以上の二つの問題点を具体的に図３により説明する。
図３は従来の単線式カーテンレール５に両開き用４枚パネル型カーテンを吊下げた図であり、図３Ａは正面図、図３Ｂは左側面図である。
４枚のパネル型カーテン布地部は１ａｂ，１ｃｄ，１ｅｆ，１ｇｈであり、各々先後端部でランナー４ａ，４ｂ，４ｃ，４ｄ，４ｅ，４ｆ，４ｇ，４ｈでレール５に吊るされている。また各パネル型カーテン布地の上縁には上部縁取り支竿２が、下部には下部縁取り支竿３が布地部に内蔵されて所定の布地幅を保っている。この様な構成の場合、例えば布地１ａｂと１ｃｄ間，１ｃｄと１ｅｆ間、１ｅｆと１ｇｈ間には図示したような隙間ができる。このため外部光が入ることになる。また例えば１ｃｄを左側に移動して開口しようとしても、レールが複線式ではなく単線式なので１ａｂと干渉して移動が出来ないことになる。そしてこれらの問題を解決するために以下の先行技術がある。
【特許文献１】特開２００３−１１６７１０号公報
【考案の開示】
【考案が解決しようとする課題】
【０００５】  解決しようとする問題点は、上記の二つの問題点１）及び２）を先行技術より更に十分な効果を得る別な工夫により解決するものである。
特開２００３−１１６７１０号公報には、通常のカーテンレールを利用してパネル型カーテンを使用する手段が開示されている。その手段は各パネル型カーテンの両端に設けられたランナーをクロスさせて単線レールに取り付けるものである。例えば図３にこの手段を適応すると、ランナー４ａと４ｂの間に４ｃを、また４ｇと４ｈの間に４ｆを配置しレール５に吊るすものである。両開き４枚式パネル型カーテンにこの手段を適応すると、中央から左右の各２枚同士は確かにその境目はオーバーラップしており、また中央から左右に開閉でき、全開時はそのパネルカーテン面積の略５０％を開口できる。しかし、４枚式パネル型カーテンの中央部、即ち全閉時に左から数えた場合の２番目と３番目のパネル型カーテンの境目はオーバーラップさせることが出来ないので、隙間ができ易く、そこから外部光が入るという問題があった。また、開閉時、パネル型カーテン同士は同一単線レールに吊るされて移動するので布地がお互いに擦れて、布地の劣化が速いという問題があった。
【課題を解決するための手段】
【０００６】  本考案は、従来式カーテンレールをそのまま利用して、パネル型カーテンを開閉することが出来、また各パネル型カーテン同士の境目は、完全にオーバーラップさせることが出来、従って外部の光が射し込む問題も解決でき、また先行技術の欠点である布地の擦れの問題をも解決する手段を提供するもので、以下の手段による。
【手段１】
少なくとも上縁に布地を支える縁取り支竿である棒状材を有した両開き４枚式で、単線レールを使用するパネル型カーテンにおいて、該パネル型カーテンを全閉したとき、中央の２枚の境目で該パネル型カーテンがオーバーラップするように、少なくとも上縁の棒材を該レール方向からお互いに水平反対方向に曲げたこを手段とするパネル型カーテンであり、第一の考案である。
【手段２】
少なくとも上縁に布地を支える縁取り支竿を有した両開き４枚式、あるいは片開き２枚式で、単線レールを使用するパネル型カーテンにおいて、該パネル型カーテンを全閉したとき、４枚式では左右両端の２枚（１ａｂ，１ｇｈ）、また２枚式ではそのどちらか一方が、該単線レールに、ランナーの移動用レール位置から窓側等に適当な距離を保って金具等で上縁が各々の左右両端２個所で固定的に吊るされ、また４枚式では中央の２枚（１ｃｄ，１ｅｆ）が該単線レールにランナーにより各々のパネル型カーテンの両端２個所でのランナー（４ｃ，４ｄ，４ｅ，４ｆ）で移動可能に吊るされ、且つ非中央側の各々のランナー（４ｃ，４ｆ）は、左右両端の２枚のパネル型カーテン（１ａｂ，１ｇｈ）の各々の該２個の固定金具位置の間（６ａと６ｂの間に４ｃ、６ｇと６ｈの間に４ｆ）に移動可能に吊るされ、また２枚式では固定されない残り一方のパネル型カーテンが、該単線レールに片側のランナーが該２個所の固定金具の間に、また他のランナーは該２個の取り付け金具外に移動可能に吊るされ、開閉時、固定側と移動側のパネル型カーテンの擦動を避けるように、全開時は該固定的に吊るされたパネル型カーテンと、ランナーにより移動可能なパネル型カーテンがオーバーラップすることで、４枚式ではその中央部の２枚分が、２枚式では１枚分が開口するようにしたことを手段とするパネル型カーテンであり、第二の考案である。
【手段３】
上縁に布地を支える縁取り支竿である棒状材を有した両開き４枚式、あるいは片開き２枚式で、単線レールを使用するパネル型カーテンにおいて、パネル型カーテン下縁部には縁取り支竿を使用しないものとして、開口時には、パネル型カーテン布地を、両開き４枚式では両側に、片開き２枚式では片側一方に、束ねて固定することを手段とするパネル型カーテンであり、第三の考案である。
【考案の効果】
【０００７】    本考案のパネル型カーテンは、以下の効果を有する。
１）  従来の単線式カーテンレールを使用できて、開閉操作を容易に行うことが出来る。
２）  各パネル型カーテンの境目は全閉時には完全にオーバーラップするので、境目から外光が射し込むことも無い。
３）  開閉時、パネル型カーテンの布地同士の擦れが無いので、布地の寿命が永い。
４）  上縁はパネル型カーテン機能を有し、下部は通常襞式カーテン機能を有したものでは、両者の長所を活用して、全閉時はパネル型カーテンの省スペース、布地の美観、簡潔美等の長所、全開時は開口面積をパネル型カーテンより大きく出来、従来のカーテンの開口面積に近づけることが出来る。
【考案を実施するための最良の形態】
【０００８】  従来のカーテンレールを使用して、安価で簡潔な方法、、最小の部品点数で、新方式パネル型カーテンを実現した。
【実施例１】
【０００９】  図１は第一と第二の本考案を具現した図である。既に説明した図３と同じ部品名はは同じ番号をつけてあるのでその説明は省略する。図１Ａは正面図、図１Ｂは特にランナー４Ｃを見てその構成を説明するための左側面図、図１Ｃは底面図、また図１Ｄは特に固定金具６ａの構成を説明するための左側面図の上縁部の図である。
図１は両開きの４枚のパネル型カーテンの場合の図であり、布地部は１ａｂ，１ｃｄ，１ｅｆ，１ｇｈであり，各パネル型カーテン布地の上縁には上部縁取り支竿２が、下部には下部縁取り支竿３が布地部に内蔵されて所定の布地幅を保っている。これら４枚の布地部の内、中央の２枚である１ｃｄと１ｅｆ間は図１Ｃに示すように、その境目は上下の縁取り支竿２，３をレール進行方向から水平面内で左右に折り曲げることでオーバーラップさせている。布地は縁取り支竿の形状に習うからである。これは縁取り支竿２、３を金属製やプラスチック製とすれば容易に実現できる。これにより中央部の境目の隙間を無くすことが出来、外部光の侵入を阻止できる。これが第一の考案である。
４枚の布地の内、中央の２枚である１ｃｄ，１ｅｆは各々先後端部でランナー４ｃ，４ｄ，４ｅ，４ｆで従来のカーテンレールと同じ単線レール５に吊るされて移動可能に操作される。その様子を図１Ｂにランナー４Ｃの場合で示す。そして図３Ｂに示したように両サイドの布地１ａｂ（図示してないが１ｇｈも同じ）は先後端部で固定具６ａ，６ｂ，６ｇ，６ｈでレール５のランナー移動位置から窓側位置のレール５の側面部に固定的に吊るされている。また取り付け具６ａ等はＬ字形状としても良くその様子を図１Ｄに示すが、６ａはある幅を有したＬ字形状の金具でありその幅中央部には穴を有しており、その穴部にネジ８を通し、ナット９等でカーテンレール５の所望な位置に固定する。図１Ｄではその構成を明確に説明するためにネジ８とナット９はまだ完全に締め付ける前の状態の図で示した。ネジ部を完全に閉めればＬ字形の６ａはレール５に固定され、６ａの他端の先端部には１ａｂ，１ｇｈ等の両サイドに配置する非移動のパネル型カーテンを吊下げることになる。この時、Ｌ字形金具６ａ等は図１Ｄに示したようにカーテンレール５から窓側に突き出た位置で１ａｂ等のパネル型カーテンを吊下げるので，１ａｂと１ｃｄ間には窓方向に隙間ができるので、その開閉時に、お互いに擦れるという従来技術の問題を解決できる。
４枚式では左右両端の２枚（１ａｂ，１ｇｈ）、また２枚式ではそのどちらか一方が、単線レール５に、ランナーの移動用レール位置から窓側（窓側と反対の部屋側でも良い）に適当な距離を保って金具等で上縁が各々の左右両端２個所で固定的に吊るされるが４枚式では中央の２枚である１ｃｄ，１ｅｆが単線レールにランナーにより各々のパネル型カーテンの両端２個所で吊るされる場合、非中央側の各々のランナーである４ｃ，４ｆは、左右両端の２枚のパネル型カーテンである１ａｂ，１ｇｈの各々の２個の取り付け固定具位置の間である６ａと６ｂの間に４ｃ、６ｇと６ｈの間に４ｆが移動可能に吊るされ、また２枚式では固定されない残り一方のパネル型カーテンが、単線レールに片側のランナーが２個所の固定具の間に、また他のランナーは２個の固定取り付け具の外側に移動可能に吊るされ、開閉時、固定側と移動側のパネル型カーテンの擦動を避けるように、全開時は該固定的に吊るされたパネル型カーテンと、ランナーにより移動可能なパネル型カーテンが窓方向に設けた隙間により擦れずにオーバーラップすることで、４枚式ではその中央部の２枚分が、２枚式では１枚分即ち窓部面積の略５０％を開口するようにできる。
この様な構成の場合，例えば布地１ａｂと１ｃｄ間，１ｅｆと１ｇｈ間には図示したように両者の幅を予めオーバーラップするように大き目に設定しておけば全閉時、隙間は出来ないので、外部光が直接入ることはない。また例えば１ｃｄを左側に移動して開口しようとしする場合、問題なく開閉でき、１ｅｆも同様に開閉できる。またＬ字形取り付け固定金具を使用したものでは、全閉時にはランナー４ｃは６ｂにより、またランナー４ｆは６ｇにより、全閉位置が決まることになる。以上が第二の考案である。【００１０】図２により第三の考案を説明する。前述した図１で両開き４枚式を全開した場合、布地下部に縁取り支竿が設けられていると
その開口部面積は前述したように略５０％であるが、図１の構成において、布地上部の縁取り支竿２はそのままで、下部の縁取り支竿３をすべて除去し、７なるバンド等で両サイドに束ねれば、図２に示すように、従来のカーテンに近い開口面積を確保できる。【００１１】図２では両開きの４枚パネル型カーテン式で説明したが、図示は省略するが、片開き２枚パネル型カーテン式にも第二、第三の本考案は適応できるものである。
【産業上の利用可能性】
【００１２】  従来のカーテンレールをそのまま利用することが出来て、パネル型カーテンの長所を残して、欠点であつた、合わせ目からの光の漏れや布地の擦れ解決した、安価で実用性の高い考案であるので、その工業上の利用可能性は極めて高いものといえる。
【図面の簡単な説明】
【００１３】
【図１】本考案の説明図である。
【図２】別の本考案の説明図である。
【図３】従来技術の説明図である。
【符号の説明】
【００１４】  １ａｂ，１ｃｄ，１ｅｆ，１ｇｈ                    パネル型カーテン布地
２、３                                            縁取り支竿
４ａ，４ｂ，４ｃ，４ｄ，４ｅ，４ｆ，４ｇ，４ｈ    ランナー
５                                                レール
６ａ，６ｂ，６ｇ，６ｈ                            固定具
７                                                バンド
８                                                ネジ
９                                                ナット
【図１】
0003108783.tif 000003
【図２】
0003108783.tif 000004
【図３】
0003108783.tif 000005
【手続補正書】
【提出日】平成16年10月26日(2004.10.26)
【手続補正１】
【補正対象書類名】実用新案登録請求の範囲
【補正対象項目名】全文
【補正方法】変更
【補正の内容】
【実用新案登録請求の範囲】
【請求項１】
少なくとも上縁に布地を支える縁取り支竿を有した両開き４枚式、あるいは片開き２枚式で、単線レールを使用するパネル型カーテンにおいて、該パネル型カーテンを全閉したとき、４枚式では左右両端の２枚（１ａｂ，１ｇｈ）、また２枚式ではそのどちらか一方が、該単線レールに、ランナーの移動用レール位置から窓側等に適当な距離を保って固定具で上縁が各々の左右両端２個所で固定的に吊るされ、また４枚式では中央の２枚（１ｃｄ，１ｅｆ）が該単線レールにランナーにより各々のパネル型カーテンの両端２個所のランナー（４ｃ，４ｄ，４ｅ，４ｆ）で移動可能に吊るされ、且つ非中央側の各々のランナー（４ｃ，４ｆ）は、左右両端の２枚のパネル型カーテン（１ａｂ，１ｇｈ）の各々の該２個の固定具位置の間（６ａと６ｂの間に４ｃ、６ｇと６ｈの間に４ｆ）に移動可能に吊るされ、また２枚式では固定されない残り一方のパネル型カーテンが、該単線レールに片側のランナーが該２個所の固定具の間に、また他のランナーは該２個の固定取り付け具の外側に移動可能に吊るされ、開閉時、固定側と移動側のパネル型カーテンの擦動を避けるように、全開時は該固定的に吊るされたパネル型カーテンと、ランナーにより移動可能なパネル型カーテンがオーバーラップすることで、４枚式ではその中央部の２枚分が、２枚式では１枚分が開口するようにしたことを特徴とするパネル型カーテン。
【請求項２】
少なくとも上縁に布地を支える縁取り支竿を有した両開き４枚式で、単線レールを使用するパネル型カーテンにおいて、該パネル型カーテンを全閉したとき、中央の２枚の境目で該パネル型カーテンがオーバーラップするように、少なくとも上縁の縁取り支竿の一部を水平で該レール移動方向から曲げたことを特徴とする請求項１記載のパネル型カーテン。
【請求項３】
上縁に布地を支える縁取り支竿を有した両開き４枚式、あるいは片開き２枚式で、単線レールを使用するパネルカーテンにおいて、パネルカーテン下縁部には該縁取り支竿を使用せず、開口時にパネルカーテン布地を、両開き４枚式では両側に、片開き２枚式では片側一方に、束ねて固定することを特徴とする請求項１記載のパネルカーテン。
【手続補正２】
【補正対象書類名】明細書
【補正対象項目名】０００６
【補正方法】変更
【補正の内容】
【０００６】  本考案は、従来式カーテンレールをそのまま利用して、パネル型カーテンを開閉することが出来、また各パネル型カーテン同士の境目は、完全にオーバーラップさせることが出来、従って外部の光が射し込む問題も解決でき、また先行技術の欠点である布地の擦れの問題をも解決する手段を提供するもので、以下の手段による。
手段１
少なくとも上縁に布地を支える縁取り支竿を有した両開き４枚式、あるいは片開き２枚式で、単線レールを使用するパネル型カーテンにおいて、該パネル型カーテンを全閉したとき、４枚式では左右両端の２枚（１ａｂ，１ｇｈ）、また２枚式ではそのどちらか一方が、該単線レールに、ランナーの移動用レール位置から窓側等に適当な距離を保って金具等で上縁が各々の左右両端２個所で固定的に吊るされ、また４枚式では中央の２枚（１ｃｄ，１ｅｆ）が該単線レールにランナーにより各々のパネル型カーテンの両端２個所でのランナー（４ｃ，４ｄ，４ｅ，４ｆ）で移動可能に吊るされ、且つ非中央側の各々のランナー（４ｃ，４ｆ）は、左右両端の２枚のパネル型カーテン（１ａｂ，１ｇｈ）の各々の該２個の固定金具位置の間（６ａと６ｂの間に４ｃ、６ｇと６ｈの間に４ｆ）に移動可能に吊るされ、また２枚式では固定されない残り一方のパネル型カーテンが、該単線レールに片側のランナーが該２個所の固定金具の間に、また他のランナーは該２個の取り付け金具外に移動可能に吊るされ、開閉時、固定側と移動側のパネル型カーテンの擦動を避けるように、全開時は該固定的に吊るされたパネル型カーテンと、ランナーにより移動可能なパネル型カーテンがオーバーラップすることで、４枚式ではその中央部の２枚分が、２枚式では１枚分が開口するようにしたことを手段とするパネル型カーテンであり、第一の考案である。
手段２
少なくとも上縁に布地を支える縁取り支竿である棒状材を有した両開き４枚式で、単線レールを使用するパネル型カーテンにおいて、該パネル型カーテンを全閉したとき、中央の２枚の境目で該パネル型カーテンがオーバーラップするように、少なくとも上縁の棒材を該レール方向からお互いに水平反対方向に曲げたこを手段とする手段１記載のパネル型カーテンであり、第二の考案である。
手段３
上縁に布地を支える縁取り支竿である棒状材を有した両開き４枚式、あるいは片開き２枚式で、単線レールを使用するパネル型カーテンにおいて、パネル型カーテン下縁部には縁取り支竿を使用しないものとして、開口時には、パネル型カーテン布地を、両開き４枚式では両側に、片開き２枚式では片側一方に、束ねて固定することを手段とする手段１記載のパネル型カーテンであり、第三の考案である。